(57)【要約】【課題】プラズマディスプレイ装置の表示品位を向上させることを目的とする。【解決手段】対をなす複数の走査電極４および維持電極５を配置した第１基板と前記走査電極４および維持電極５とほぼ直交する複数のデータ電極８が設けられかつ放電により発光する蛍光体層１０を設けた第２基板とを、放電空間を挟んで対向配置すると共に、前記第１基板上の表示領域外に前記走査電極４または維持電極５と平行でかつ前記データ電極８とほぼ直交するように少なくとも１つのダミー電極１３を設けてパネルを構成し、かつ前記ダミー電極１３での放電領域には蛍光体層１０を形成せずにダミー電極１３とデータ電極８との間で放電を起こすように構成したものである。【選択図】　図１
2004039465.tif 000002
【特許請求の範囲】
【請求項１】
対をなす複数の第１電極および第２電極を配置した第１基板と前記第１電極および第２電極とほぼ直交する複数の第３電極が設けられかつ放電により発光する蛍光体層を設けた第２基板とを、放電空間を挟んで対向配置すると共に、前記第１基板上の表示領域外に前記第１電極または第２電極と平行でかつ前記第３電極とほぼ直交するように少なくとも１つのダミー電極を設けてパネルを構成し、かつ前記ダミー電極での放電領域には蛍光体層を形成せずにダミー電極と第３電極との間で放電を起こすように構成したことを特徴とするプラズマディスプレイ装置。
【請求項２】
ダミー電極が非透過性の金属によって形成したことを特徴とする請求項１に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
従来のＡＣ型のプラズマディスプレイに用いられるプラズマディスプレイパネル（以下、パネルという）の一例を図８に示している。図８に示すように、前面側となる第１基板であるガラス基板１上には、誘電体層２および保護膜３で覆われた複数の第１電極としての走査電極４と第２電極としての維持電極５とが対をなして互いに平行に形成され、そして背面側となる第２基板のガラス基板６上には、絶縁体層７で覆われた複数の第３電極としてのデータ電極８が形成されると共に、データ電極８の間の絶縁体層７上にデータ電極８と平行して隔壁９が設けられ、その絶縁体層７の表面からと隔壁９の側面にかけて蛍光体層１０が設けられている。また、この走査電極４および維持電極５は、図９に示すようにそれぞれ透明電極４ａ、５ａおよびこの透明電極４ａ、５ａに電気的に接続された銀等の母線４ｂ、５ｂとから構成されている。また、第１のガラス基板１と第２のガラス基板６とは、走査電極４および維持電極５とデータ電極８とがほぼ直交するように放電空間１１を挟んで対向して配置され、その放電空間１１には、放電ガスとして、ヘリウム、ネオン、アルゴン、キセノンの内の少なくとも１種類の希ガスが封入されている。そして、隣接する二つの隔壁９に挟まれ、データ電極８とこれに対向する対をなす走査電極４および維持電極５との交差部の放電空間には、複数の放電セル１２が構成されている。
【０００３】
次に、このパネルの電極配列図を図９に示す。図９に示すように、このパネルの電極配列はｍ×ｎのマトリックス構成であり、列方向にはｍ列のデータ電極Ｄ１〜Ｄｍが配列されており、行方向にはｎ行の走査電極ＳＣＮ１〜ＳＣＮｎおよび維持電極ＳＵＳ１〜ＳＵＳｎが配列されている。
【０００４】
このパネルを表示駆動するための駆動方法の動作駆動タイミング図を図１０に示す。この駆動方法は２５６階調の階調表示を行うためのものであり、１フィールド期間を８個のサブフィールドで構成している。以下、従来の駆動方法について図１０を用いて説明する。
【０００５】
図１０に示すように、第１ないし第８のサブフィールドはそれぞれ初期化期間、書込み期間、維持期間および消去期間から構成されている。まず、第１のサブフィールドにおける動作について説明する。
【０００６】
図１０に示すように、初期化期間の前半の初期化動作において、全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を超える電圧Ｖｒ（Ｖ）に向かって緩やかに上昇するランプ電圧を印加する。このランプ電圧が上昇する間に、全ての放電セル１２において、全ての走査電極ＳＣＮ１〜ＳＣＮｎから全てのデータ電極Ｄ１〜Ｄｍおよび全ての維持電極ＳＵＳ１〜ＳＵＳｎにそれぞれ一回目の微弱な初期化放電が起こり、走査電極ＳＣＮ１〜ＳＣＮｎ上の保護膜３の表面に負の壁電圧が蓄積されるとともに、データ電極Ｄ１〜Ｄｍ上の絶縁体層７の表面および維持電極ＳＵＳ１〜ＳＵＳｎ上の保護膜３の表面には正の壁電圧が蓄積される。
【０００７】
さらに、初期化期間の後半の初期化動作において、全ての維持電極ＳＵＳ１〜ＳＵＳｎを正電圧Ｖｈ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｑ（Ｖ）から放電開始電圧を超える０（Ｖ）に向かって緩やかに下降するランプ電圧を印加する。このランプ電圧が下降する間に、再び全ての放電セル１２において、全ての維持電極ＳＵＳ１〜ＳＵＳｎから全ての走査電極ＳＣＮ１〜ＳＣＮｎにそれぞれ二回目の微弱な初期化放電が起こり、走査電極ＳＣＮ１〜ＳＣＮｎ上の保護膜３表面の負の壁電圧および維持電極ＳＵＳ１〜ＳＵＳｎ上の保護膜３表面の正の壁電圧が弱められる。一方、データ電極Ｄ１〜Ｄｍ上の絶縁体層７の表面の正の壁電圧はそのまま保たれる。以上により初期化期間の初期化動作が終了する。
【０００８】
次の書込み期間の書込み動作において、全ての走査電極ＳＣＮ１〜ＳＣＮｎをＶｓ（Ｖ）に保持し、データ電極Ｄ１〜Ｄｍのうち、第一行目に表示すべき放電セル１２に対応する所定のデータ電極に正の書込みパルス電圧＋Ｖｗ（Ｖ）を、第一行目の走査電極ＳＣＮ１に走査パルス電圧０（Ｖ）をそれぞれ印加する。このとき、所定のデータ電極と走査電極ＳＣＮ１との交差部における絶縁体層７の表面と走査電極ＳＣＮ１上の保護膜３の表面との間の電圧は、書込みパルス電圧＋Ｖｗ（Ｖ）にデータ電極Ｄ１〜Ｄｍ上の絶縁体層７の表面の正の壁電圧が加算されたものとなるため、この交差部において、所定のデータ電極と走査電極ＳＣＮ１との間および維持電極ＳＵＳ１と走査電極ＳＣＮ１との間に書込み放電が起こり、この交差部の走査電極ＳＣＮ１上の保護膜３表面に正電圧が蓄積され、維持電極ＳＵＳ１上の保護膜３表面に負電圧が蓄積され、書込み放電が起こったデータ電極上の絶縁体層７の表面に負電圧が蓄積される。
【０００９】
次に、データ電極Ｄ１〜Ｄｍのうち、第二行目に表示すべき放電セル１２に対応する所定のデータ電極に正の書込みパルス電圧＋Ｖｗ（Ｖ）を、第二行目の走査電極ＳＣＮ２に走査パルス電圧０（Ｖ）をそれぞれ印加する。このとき、所定のデータ電極と走査電極ＳＣＮ２との交差部における絶縁体層７の表面と走査電極ＳＣＮ２上の保護膜３の表面との間の電圧は、書込みパルス電圧＋Ｖｗ（Ｖ）に所定のデータ電極上の絶縁体層７の表面の正の壁電圧が加算されたものとなるため、この交差部において、所定のデータ電極と走査電極ＳＣＮ２との間および維持電極ＳＵＳ２と走査電極ＳＣＮ２との間に書込み放電が起こり、この交差部の走査電極ＳＣＮ２上の保護膜３表面に正電圧が蓄積され、維持電極ＳＵＳ２上の保護膜３表面に負電圧が蓄積される。
【００１０】
同様な動作が引き続いて行われ、最後に、データ電極Ｄ１〜Ｄｍのうち、第ｎ行目に表示すべき放電セル１２に対応する所定のデータ電極に正の書込みパルス電圧＋Ｖｗ（Ｖ）を、第ｎ行目の走査電極ＳＣＮｎに走査パルス電圧０（Ｖ）をそれぞれ印加する。このとき、所定のデータ電極と走査電極ＳＣＮｎとの交差部において、所定のデータ電極と走査電極ＳＣＮｎとの間および維持電極ＳＵＳｎと走査電極ＳＣＮｎとの間に書込み放電が起こり、この交差部の走査電極ＳＣＮｎ上の保護膜３表面に正電圧が蓄積され、維持電極ＳＵＳｎ上の保護膜３表面に負電圧が蓄積され、書込み放電が起こったデータ電極上の絶縁体層７の表面に負電圧が蓄積される。以上により書込み期間における書込み動作が終了する。
【００１１】
続く維持期間において、先ず、全ての走査電極ＳＣＮ１〜ＳＣＮｎおよび維持電極ＳＵＳ１〜ＳＵＳｎを０（Ｖ）に一旦戻した後、全ての走査電極群ＳＣＮ１〜ＳＣＮｎに正の維持パルス電圧＋Ｖｍ（Ｖ）を印加すると、書込み放電を起こした放電セル１２における走査電極ＳＣＮ１〜ＳＣＮｎ上の保護膜３と維持電極ＳＵＳ１〜ＳＵＳｎ上の保護膜３との間の電圧は、維持パルス電圧＋Ｖｍ（Ｖ）に、書込み期間において蓄積された走査電極ＳＣＮ１〜ＳＣＮｎ上の保護膜３表面の正電圧および維持電極ＳＵＳ１〜ＳＵＳｎ上の保護膜３表面の負電圧が加算されたものとなる。このため、書込み放電を起こした放電セルにおいて、走査電極ＳＣＮ１〜ＳＣＮｎと維持電極ＳＵＳ１〜ＳＵＳｎとの間に維持放電が起こり、この維持放電を起こした放電セルにおける走査電極ＳＣＮ１〜ＳＣＮｎ上の保護膜３表面に負電圧が蓄積され、維持電極ＳＵＳ１〜ＳＵＳｎ上の保護膜３表面に正電圧が蓄積される。その後、維持パルス電圧は０（Ｖ）に戻る。
【００１２】
続いて、全ての維持電極ＳＵＳ１〜ＳＵＳｎに正の維持パルス電圧＋Ｖｍ（Ｖ）を印加すると、維持放電を起こした放電セル１２における維持電極ＳＵＳ１〜ＳＵＳｎ上の保護膜３と走査電極ＳＣＮ１〜ＳＣＮｎ上の保護膜３との間の電圧は、維持パルス電圧＋Ｖｍ（Ｖ）に、直前の維持放電によって蓄積された走査電極ＳＣＮ１〜ＳＣＮｎ上の保護膜３表面の負電圧および維持電極ＳＵＳ１〜ＳＵＳｎ上の保護膜３表面の正電圧が加算されたものとなる。このため、この維持放電を起こした放電セルにおいて、維持電極ＳＵＳ１〜ＳＵＳｎと走査電極ＳＣＮ１〜ＳＣＮｎとの間に維持放電が起こることにより、その放電セルにおける維持電極ＳＵＳ１〜ＳＵＳｎ上の保護膜３表面に負電圧が蓄積され、走査電極ＳＣＮ１〜ＳＣＮｎ上の保護膜３表面に正電圧が蓄積される。その後、前記維持パルス電圧は０（Ｖ）に戻る。
【００１３】
以降同様に、全ての走査電極ＳＣＮ１〜ＳＣＮｎと全ての維持電極ＳＵＳ１〜ＳＵＳｎとに正の維持パルス電圧＋Ｖｍ（Ｖ）を交互に印加することにより、維持放電が継続して行われ、維持期間の最終において、全ての走査電極ＳＣＮ１〜ＳＣＮｎに正の維持パルス電圧＋Ｖｍ（Ｖ）を印加すると、維持放電を起こした放電セル１２における走査電極ＳＣＮ１〜ＳＣＮｎ上の保護膜３と維持電極ＳＵＳ１〜ＳＵＳｎ上の保護膜３との間の電圧は、維持パルス電圧＋Ｖｍ（Ｖ）に、直前の維持放電によって蓄積された走査電極ＳＣＮ１〜ＳＣＮｎ上の保護膜３表面の正電圧と維持電極ＳＵＳ１〜ＳＵＳｎ上の保護膜３表面の負電圧が加算されたものとなる。このため、この維持放電を起こした放電セルにおいて、走査電極ＳＣＮ１〜ＳＣＮｎと維持電極ＳＵＳ１〜ＳＵＳｎとの間に維持放電が起こることにより、その放電セルにおける走査電極ＳＣＮ１〜ＳＣＮｎ上の保護膜３表面に負電圧が蓄積され、維持電極ＳＵＳ１〜ＳＵＳｎ上の保護膜３表面に正電圧が蓄積される。その後、維持パルス電圧は０（Ｖ）に戻る。以上により維持期間の維持動作が終了する。この維持放電により発生する紫外線で励起された蛍光体層１０からの可視発光を表示に用いている。
【００１４】
続く消去期間において、全ての維持電極ＳＵＳ１〜ＳＵＳｎに０（Ｖ）から＋Ｖｅ（Ｖ）に向かって緩やかに上昇するランプ電圧を印加すると、維持放電を起こした放電セル１２において、走査電極ＳＣＮ１〜ＳＣＮｎ上の保護膜３と維持電極ＳＵＳ１〜ＳＵＳｎ上の保護膜３との間の電圧は、維持期間の最終時点における、走査電極ＳＣＮ１〜ＳＣＮｎ上の保護膜３表面の負電圧および維持電極ＳＵＳ１〜ＳＵＳｎ上の保護膜３表面の正電圧がこのランプ電圧に加算されたものとなる。このため、維持放電を起こした放電セルにおいて、維持電極ＳＵＳ１〜ＳＵＳｎと走査電極ＳＣＮ１〜ＳＣＮｎとの間に微弱な消去放電が起こり、走査電極ＳＣＮ１〜ＳＣＮｎ上の保護膜３表面の負電圧と維持電極ＳＵＳ１〜ＳＵＳｎ上の保護膜３表面の正電圧が弱められて維持放電は停止する。以上により消去期間における消去動作が終了する。
【００１５】
ただし、以上の動作において、表示が行われない放電セルに関しては、初期化期間に初期化放電は起こるが、書込み放電、維持放電および消去放電は行われず、表示が行われない放電セルの走査電極ＳＣＮ１〜ＳＣＮｎと維持電極ＳＵＳ１〜ＳＵＳｎの保護膜３の表面の壁電圧、およびデータ電極Ｄ１〜Ｄｍ上の絶縁体層７の表面の壁電圧は、初期化期間の終了時の状態のまま保たれる。
【００１６】
以上の全ての動作により第１のサブフィールドにおける一画面が表示される。以下、同様な動作が、第２のサブフィールドから第８のサブフィールドにわたって行われる。
【００１７】
【発明が解決しようとする課題】
しかし、このようなパネル構造、駆動方法を用いた場合、表示期間中にパネルの第１のライン（ＳＣＮ１、ＳＵＳ１）で不灯が発生するなどの問題があった。これは、第Ｍ（Ｍ≧２）ライン目の書込み時には、第Ｍ−１ライン目の書込みまたは維持放電のプライミングを使って、Ｍライン目の書込みが行われるため、Ｍラインの書込みの際には走査パルス電圧０Ｖを印加し、データ電極に書込みパルス電圧が加わってから放電が起こるまでの時間（以下放電遅れと呼ぶ）が小さく、走査パルスが０Ｖに保たれている時間（Ｔμｓ）内で確実な放電を起こすことができる。
【００１８】
しかしながら、従来のプラズマディスプレイパネルでは、第１ライン上部は表示領域外でありそこでは放電はまったく起こっていない。このように第１ラインでは上部セルの放電の影響をまったく受けることができないので、第１ラインの書込み放電の際には放電遅れが大きくなり、第１ラインの走査パルス０（Ｖ）印加し、データ電極に書込みパルス電圧を加えても、走査パルスが０Ｖに保たれている時間（Ｔμｓ）内で書込み放電を起こすことができず、書込み不良を起こし、不灯となるためである。
【００１９】
本発明はこのような課題を解決し、プラズマディスプレイ装置の表示品位を向上させることを目的とするものである。
【００２０】
【課題を解決するための手段】
上記目的を達成するために本発明のプラズマディスプレイ装置は、対をなす複数の第１電極および第２電極を配置した第１基板と前記第１電極および第２電極とほぼ直交する複数の第３電極が設けられかつ放電により発光する蛍光体層を設けた第２基板とを、放電空間を挟んで対向配置すると共に、前記第１基板上の表示領域外に前記第１電極または第２電極と平行でかつ前記第３電極とほぼ直交するように少なくとも１つのダミー電極を設けてパネルを構成し、かつ前記ダミー電極での放電領域には蛍光体層を形成せずにダミー電極と第３電極との間で放電を起こすように構成したことを特徴とする。
【００２１】
【発明の実施の形態】
すなわち、本発明の請求項１に記載の発明は、対をなす複数の第１電極および第２電極を配置した第１基板と前記第１電極および第２電極とほぼ直交する複数の第３電極が設けられかつ放電により発光する蛍光体層を設けた第２基板とを、放電空間を挟んで対向配置すると共に、前記第１基板上の表示領域外に前記第１電極または第２電極と平行でかつ前記第３電極とほぼ直交するように少なくとも１つのダミー電極を設けてパネルを構成し、かつ前記ダミー電極での放電領域には蛍光体層を形成せずにダミー電極と第３電極との間で放電を起こすように構成したことを特徴とするプラズマディスプレイ装置である。
【００２２】
また、請求項２に記載の発明は、請求項１において、ダミー電極が非透過性の金属によって形成したことを特徴とする。
【００２３】
以下、本発明の一実施の形態によるプラズマディスプレイ装置について、図１〜図７を用いて説明する。
【００２４】
（第１の実施の形態）
図１は本発明の第１の実施の形態によるＡＣ型プラズマディスプレイパネルの電極配列を示す正面図、図２は要部の断面図であり、図８、図９に示す部分と同一部分については同一番号を付している。
【００２５】
図１、図２に示すように、図８で示した構造と同様に、前面側となる第１基板であるガラス基板１上には、誘電体層２および保護膜３で覆われた複数の第１電極としての走査電極４と第２電極としての維持電極５とが対をなして互いに平行に形成され、そして背面側となる第２基板のガラス基板６上には、絶縁体層７で覆われた複数の第３電極としてのデータ電極８が形成されると共に、データ電極８の間の絶縁体層７上にデータ電極８と平行して隔壁９が設けられ、その絶縁体層７の表面からと隔壁９の側面にかけて蛍光体層１０が設けられている。この走査電極４および維持電極５は、それぞれ透明電極４ａ、５ａおよびこの透明電極４ａ、５ａに電気的に接続された銀等の母線４ｂ、５ｂとから構成されている。また、第１のガラス基板１と第２のガラス基板６とは、走査電極４および維持電極５とデータ電極８とがほぼ直交するように放電空間１１を挟んで対向して配置され、その放電空間１１には、放電ガスとして、ヘリウム、ネオン、アルゴン、キセノンの内の少なくとも１種類の希ガスが封入されている。そして、隣接する二つの隔壁９に挟まれ、データ電極８とこれに対向する対をなす走査電極４および維持電極５との交差部の放電空間には、複数の放電セル１２が構成されている。
【００２６】
そして、前記第１基板であるガラス基板１上の表示領域外の非表示領域に、走査電極４または維持電極５と平行でかつデータ電極８とほぼ直交するように少なくとも１つのダミー電極１３が設けられている。なお、そのダミー電極１３が形成された放電領域には蛍光体層１０は形成されていない。
【００２７】
本発明のパネルの電極配列は、図１に示すように、第１基板上に走査電極ＳＣＮｎ、維持電極ＳＵＳｎと平行でかつデータ電極Ｄｍとほぼ直交するようにダミー電極Ｘｄｍｙ、Ｙｄｍｙを設け、Ｎ＋１行×Ｍ列の放電セルからなるマトリックス構成であり、行方向にはＮ＋１行の走査電極ＸｄｍｙとＳＣＮ１〜ＳＣＮｎおよび維持電極ＹｄｍｙとＳＵＳ１〜ＳＵＳｎが配列され、列方向にはＭ列のデータ電極Ｄ１〜Ｄｍが配列されている。
【００２８】
本発明で用いるダミー電極Ｘｄｍｙ、Ｙｄｍｙを設けることで、第１ラインの書込み放電に先立って、ダミー電極Ｘｄｍｙとデータ電極間、またはダミー電極ＸｄｍｙとＹｄｍｙ間で放電を起こすことができ、第１ラインの書込みの際には、上記ダミー電極上での放電のプライミングによって、第１ラインの書込み放電を助ける効果が得られる。このプラズマディスプレイ装置の駆動方法を図３を用いて説明する。
【００２９】
まず、走査電極、維持電極には、従来と同様な駆動波形を、そしてダミー電極Ｘｄｍｙには、図５のＸｄｍｙで示した駆動波形を、ダミー電極Ｙｄｍｙには図５の維持電極と同様の駆動波形をそれぞれ印加する。
【００３０】
図３に示すように、１フレームを複数のサブフィールド（例えば８つ）によって構成する。各サブフィールドは初期化、書込み、維持期間、消去期間の４期間からなり、ダミー電極Ｘｄｍｙ、Ｙｄｍｙには、初期化、書込み、維持、消去期間が設けられ、それぞれの動作内容は、従来のものと同様である。ここで、Ｘｄｍｙには、書込み期間中、第１ラインに先立って、走査パルス電圧０（Ｖ）を印加する。同時に、データ電極Ｄ１〜Ｄｍに書込みパルス電圧＋Ｖｗ（Ｖ）を加えることにより、ダミー電極Ｘｄｍｙとデータ電極間、加えてＸｄｍｙとＹｄｍｙ間で書込み放電が行われることになる。続いて、第１ラインのＳＣＮ１に走査パルス電圧０（Ｖ）が印加され、データ電極Ｄ１〜Ｄｍのうち第１行目に表示すべき放電セルに対応するデータ電極に正の書込みパルス電圧Ｖｗ（Ｖ）を印加する。
【００３１】
このとき第１ラインの書込みに先立って、ダミー電極での放電があることから、ダミー電極での放電のプライミングを用いて、第１ラインでの書込み放電は放電遅れも小さく、走査パルスが０Ｖに保たれている時間（Ｔμｓ）内で、放電を失敗することなく正常な書込み放電を行うことができ、第１ラインでの書込みミスを大幅に減少することができ、表示品位を大幅に改善することができる。
【００３２】
しかも、ダミー電極Ｘｄｍｙ及びＹｄｍｙとデータ電極が交差する領域に蛍光体層１０を形成しないことで、ダミー電極Ｘｄｍｙとデータ電極間、またはダミー電極ＸｄｍｙとＹｄｍｙ間で放電を起こしても、蛍光体層１０による発光をなくし、非表示領域のダミー電極の発光強度を大幅に減らすことが可能となり、表示特性を落とすこともない。
【００３３】
（第２の実施の形態）
図４に本発明の第２の実施の形態によるパネルの電極配列を示し、図５に図４のｙ方向の断面を示す。第１の実施の形態と同様に、ダミー電極Ｘｄｍｙ、Ｙｄｍｙは、ガラス基板１上に走査電極ＳＣＮＮ、維持電極ＳＵＳＮと平行し、かつデータ電極ＤＭと直交するように設けることで、ダミー電極Ｘｄｍｙ１とデータ電極間、またはダミー電極ＸｄｍｙとＹｄｍｙ間で放電を起こすことができ、第１ラインの書込みの際には、上記ダミー電極上での放電のプライミングによって、第１ラインの書込み放電を助ける効果がある。しかも、ダミー電極Ｘｄｍｙ及びＹｄｍｙとデータ電極が交差する領域に蛍光体層１０を形成しないことで、ダミー電極Ｘｄｍｙとデータ電極間、またはダミー電極ＸｄｍｙとＹｄｍｙ間で放電を起こしても、蛍光体層１０による発光をなくし、非表示領域のダミー電極の発光強度を大幅に減らすことが可能となり、表示特性を落とすこともない。
【００３４】
しかしながら、放電空間１１には、放電ガス（例えばネオン、キセノン、ヘリウムなどの混合ガス）が注入されていることから、蛍光体層１０を塗布しなかった場合にも、これら混合ガスからの発光は透明電極、誘電体層、第１のガラス基板を通って外に光が漏れる。
【００３５】
ダミー電極Ｘｄｍｙ、Ｙｄｍｙをともに非透過性金属で形成することにより、ダミー電極とデータ電極間での放電、ならびにダミー電極同士の放電発光は、非透過性金属で吸収され、第１の実施の形態のように、透明電極を透過して、外に漏れ出すことはない。これによりダミー電極での放電の発光によって前面基板側で視認できる光量を大幅に減らすことができ、より表示品位を改良することができる。
【００３６】
（第３の実施の形態）
図６に本発明の第３の実施の形態によるパネルの電極配列を示し、図７に図６のｙ方向の断面を示す。図６、図７で示すように、第２の実施の形態の状態から、一方のダミー電極Ｙｄｍｙを取り除き、ダミー電極Ｘｄｍｙのみを作成することも可能である。この場合、書込みパルス０Ｖが印加され、データ電極にＶｗ（Ｖ）の電圧を印加した時、ダミー電極Ｘｄｍｙとデータ電極間で放電が起こり、走査電極の書込み放電に先立ってダミー電極とデータ電極間で放電を起こし、この放電のプライミングにより、第１ラインの書込み放電を助ける効果がある。
【００３７】
しかしながら、ダミー電極Ｙｄｍｙを備えていないことから、続く維持期間でダミー電極Ｘｄｍｙに加えられる１８０Ｖ程度の振幅パルスでは維持放電を持続することができない。よって、維持期間中に放電する余分な発光を大幅に削減することができる。さらに、ダミー電極Ｘｄｍｙを非透過性金属で形成することにより、第１ラインの書込みに先立ち、ダミー電極Ｘｄｍｙとデータ電極間で起こす放電も、非透過性の金属で吸収され、第１の実施の形態のように透明電極を透過して外に漏れ出すことはない。これによりダミー電極での放電の発光によって前面板側で視認できる光量を大幅に減らすことができ、より表示品質を改良することができる。
【００３８】
【発明の効果】
以上の説明から明らかなように、本発明にかかるプラズマディスプレイ装置によれば、非表示領域に走査電極、維持電極と平行でデータ電極とほぼ直交するようにダミー電極を配置し、第１ラインの書込み放電に先立ってダミー放電で放電を行うことによって、頻繁に書込み放電ミスを起こしていた、第１ラインの書込み放電を後続のライン同様に、書込みミスが発生することなく放電させることが可能となり、プラズマディスプレイ装置の表示品位を向上させることができる。
【００３９】
さらに、ダミー電極の電極を非透過性の電極にする、またはダミー電極下のデータ電極上の蛍光体塗布を行わなくすることなどで、上記ダミー電極での発光を抑え非表示領域での不要な発光を抑えることができ、不要な電力の消費を抑えながらプラズマディスプレイ装置の表示品位を向上させることができる。
【図面の簡単な説明】
【図１】本発明の一実施の形態によるプラズマディスプレイ装置のパネルの電極配列を示す説明図
【図２】同パネルの要部を示す断面図
【図３】本発明の第１の実施の形態における駆動動作タイミング図
【図４】本発明の第２の実施の形態におけるプラズマディスプレイ装置のパネルの電極配列を示す説明図
【図５】同パネルの要部を示す断面図
【図６】本発明の第３の実施の形態におけるプラズマディスプレイ装置のパネルの電極配列を示す説明図
【図７】同パネルの要部を示す断面図
【図８】プラズマディスプレイ装置のパネル構成を示す斜視図
【図９】従来のプラズマディスプレイ装置のパネルの電極配列を示す説明図
【図１０】従来の駆動動作タイミング図
【符号の説明】
ＳＣＮ１〜ＳＣＮｎ　走査電極
ＳＵＳ１〜ＳＵＳｎ　維持電極
Ｄ１〜Ｄｍ　データ電極
Ｘｄｍｙ、Ｙｄｍｙ　ダミー電極
１、６　ガラス基板
２　誘電体層
３　保護膜
４　走査電極
５　維持電極
７　絶縁体層
８　データ電極
９　隔壁
１０　蛍光体層
１１　放電空間
１２　放電セル
１３　ダミー電極
【図１】
2004039465.tif 000003
【図２】
2004039465.tif 000004
【図３】
2004039465.tif 000005
【図４】
2004039465.tif 000006
【図５】
2004039465.tif 000007
【図６】
2004039465.tif 000008
【図７】
2004039465.tif 000009
【図８】
2004039465.tif 000010
【図９】
2004039465.tif 000011
【図１０】
2004039465.tif 000012